(57)【要約】【課題】光出射部からの光がずれた場合の調芯を簡単な構造で行うことができ、短時間で調芯することが可能な光信号の送信装置の検査装置及び検査方法を提供する。【解決手段】光出射部２０から出射された光量を検査する装置であって、光出射部２０から出射された光が受光端面９から入射される光ファイバ７と、光ファイバ７を保持するフェルール２と、フェルール２を回転駆動させる回転駆動部３と、光ファイバ７に入射された光が伝送されると共に回転駆動部３を駆動制御するコントローラ５とを備える。光ファイバ７の受光端面９がフェルール２の回転中心軸１７から所定の距離で偏心した偏心位置に設けられている。【選択図】図１
2010243729.tif 000002
【特許請求の範囲】
【請求項１】
光出射部から出射された光量を検査する装置であって、
前記光出射部から出射された光が受光端面から入射される光ファイバと、この光ファイバを保持するフェルールと、このフェルールを回転駆動させる回転駆動部と、前記光ファイバに入射された光が伝送されると共に前記回転駆動部を駆動制御するコントローラとを備え、
前記光ファイバの受光端面が前記フェルールの回転中心軸から所定の距離で偏心した偏心位置に設けられていることを特徴とする光信号の送信装置の検査装置。
【請求項２】
請求項１記載の光信号の送信装置の検査装置であって、
前記フェルールは、前記受光端面が設けられる受光面と、前記光ファイバを保持するファイバ保持部とを有することを特徴とする光信号の送信装置の検査装置。
【請求項３】
光出射部から出射された光量を検査する検査方法であって、
前記光出射部から出射された光が入射される光ファイバを回転可能なフェルールに保持すると共に、光ファイバの受光端面をフェルールの回転中心軸から所定の距離で偏心した偏心位置に位置させて、前記光出射部から出射された光を受光することを特徴とする光信号の送信装置の検査方法。
【発明の詳細な説明】
【技術分野】
【０００１】
本発明は、光ファイバに対して光信号を出射する送信装置の検査装置及び検査方法に関する。
【背景技術】
【０００２】
光通信の分野においては、電気信号を光に変換して光信号とし、変換した光信号を光ファイバケーブルに出射する光信号の送信装置（ＦＯＴ：Ｆｉｂｅｒ  Ｏｐｔｉｃａｌ  Ｔｒａｎｓｍｉｔｔｅｒ）が用いられている（例えば、特許文献１参照）。
【０００３】
このようなＦＯＴは、コネクタ本体に組み込まれて製品としての光コネクタが形成されている。光コネクタは、光信号を安定して伝達する必要があり、このため、ＦＯＴの光出射部から光ファイバーに出射される光信号の光量（出射パワー）を検出することが行われている。ＦＯＴの検査に際しては、検査装置が用いられている。検査装置は、ＦＯＴから光ファイバに出射された光信号を光ファイバからコントローラに導き、コントローラで光信号の出射パワーを検出することにより検査している。
【０００４】
図３（ａ）は、ＦＯＴの検査を行う従来の検査装置における光信号の伝達部分を示す。検査装置は、光ファイバ２１０を保持したフェルール２２０を備えており、このフェルール２２０がＦＯＴの光出射部１００に対向して配置される。
【０００５】
図４に示すように、光ファイバ２１０はフェルール２２０を貫通するように挿入されている。光ファイバ２１０は、フェルール２２０の中心軸２５０と同軸となるようにフェルール２２０を貫通しており、光ファイバ２１０におけるフェルール２２０の貫通端がＦＯＴからの光信号を受光する受光端面２３０となっている。このような構造では、光ファイバ２１０の受光端面２３０は、フェルール２２０の中心軸２５０と一致する。
【０００６】
図３（ａ）に示すように、ＦＯＴの光出射部１００は、発光ダイオード（ＬＥＤ）などの光源素子１１０と、光源素子１１０からの光を光ファイバー２１０の受光端面２３０に収束させる集光レンズ１２０とを備えている。このような構造により、ＦＯＴの光出射部１００から出射された光が光ファイバ２１０の受光端面２３０に入射した後、光ファイバ２１０に接続されている図示しないコントローラに伝送され、コントローラにより光信号の出射パワーの検出が行われる。
【先行技術文献】
【特許文献】
【０００７】
【特許文献１】特表２００５−５１５４４７号公報
【発明の概要】
【発明が解決しようとする課題】
【０００８】
光出射部１００においては、光源素子１１０や集光レンズ１２０の公差、さらにはこれらを支持する支持部材の公差があり、この公差により、光出射部１００からの出射光が斜め方向にずれることがある。出射光の斜め方向へのずれが許容範囲以内であれば、そのままで出射パワーの検出が可能であるが、斜め方向へのずれが許容範囲以上となった場合には、光が受光端面２３０に入射しなくなるか、一部しか入射しなくなる。これにより、出射パワーの検出ができなくなるか、出射パワーを正確に検出することができなくなる。従って、この場合には、フェルール２２０を数μｍ単位で中心軸２５０と交差する方向に移動させて受光端面２３０を光の集光位置に一致させる必要がある。
【０００９】
例えば、図３（ｂ）で示すように、光出射部１００からの光が斜め上方にずれている場合には、フェルール２２０を数μｍずつ矢印方向（ＸＹ方向）に移動させて光ファイバ２１０の受光端面２３０を集光位置に一致させる調芯が行われる。この調芯を行うため、図示しない調芯装置によりフェルール２２０を移動させている。
【００１０】
しかしながら、数μｍ単位でフェルール２２０を中心軸２５０と交差する方向（ＸＹ方向）に移動させる調芯を行うためには、高精度の調芯装置が必要となる。また、高精度の調芯を行うために、調芯時間が長時間となり、作業性が悪いという問題がある。
【００１１】
そこで、本発明は、光出射部からの光がずれた場合の調芯を簡単な構造で行うことができ、しかも短時間で調芯することが可能な光信号の送信装置の検査装置及び検査方法を提供することを目的とする。
【課題を解決するための手段】
【００１２】
請求項１記載の発明は、光出射部から出射された光量を検査する装置であって、前記光出射部から出射された光が受光端面から入射される光ファイバと、この光ファイバを保持するフェルールと、このフェルールを回転駆動させる回転駆動部と、前記光ファイバに入射された光が伝送されると共に前記回転駆動部を駆動制御するコントローラとを備え、前記光ファイバの受光端面が前記フェルールの回転中心軸から所定の距離で偏心した偏心位置に設けられていることを特徴とする。
【００１３】
請求項２記載の発明は、請求項１記載の発明であって、前記フェルールは、前記受光端面が設けられる受光面と、前記光ファイバを保持するファイバ保持部とを有することを特徴とする。
【００１４】
請求項３記載の発明は、光出射部から出射された光量を検査する検査方法であって、前記光出射部から出射された光が入射される光ファイバを回転可能なフェルールに保持すると共に、光ファイバの受光端面をフェルールの回転中心軸から所定の距離で偏心した偏心位置に位置させて、前記光出射部から出射された光を受光することを特徴とする。
【発明の効果】
【００１５】
請求項１記載の発明によれば、光ファイバの受光端面がフェルールの回転中心軸から所定の距離で偏心した偏心位置に設けられているため、ＦＯＴの光出射部の光がずれていても、回転駆動部によってフェルールを回転中心軸回りに回転させることにより、光ファイバの受光端面がＦＯＴの光出射部からの光に簡単に一致する。この一致により、光ファイバに光が入射されるため、ＦＯＴの出射パワーを検査することができる。このような請求項１記載の発明によれば、調芯を簡単な構造で行うことができ、高精度の調芯装置が不要となり、安価に提供することができる。また、フェルールを回転させて調芯を行うだけであるため、短時間で調芯を終了することができ、作業性が向上する。
【００１６】
請求項２記載の発明によれば、フェルールの受光面に光ファイバの受光端面が設けられることにより、ＦＯＴの光出射部からの光を受光することができるため、フェルールを簡単な構造とすることができる。
【００１７】
請求項３記載の発明によれば、光ファイバの受光端面をフェルールの回転中心軸から所定の距離で偏心した偏心位置に位置させてＦＯＴの光出射部から出射された光を受光するため、ＦＯＴの光出射部からの光がずれていても光ファイバの受光端面が光出射部からの光に簡単に一致させることができる。このため、調芯を短時間で行うことができ、作業性が向上する。
【図面の簡単な説明】
【００１８】
【図１】（ａ）及び（ｂ）は、本発明の一実施形態における調芯時の側面図である。
【図２】一実施形態におけるフェルールの斜視図である。
【図３】（ａ）及び（ｂ）は、従来装置における調芯時の側面図である。
【図４】従来装置に用いられるフェルールの斜視図である。
【発明を実施するための形態】
【００１９】
以下、本発明を図示する実施形態により具体的に説明する。図１（ａ）、（ｂ）は、本発明の一実施形態における検査装置１の調芯時の側面図、図２は、フェルール２の斜視図である。
【００２０】
図１に示すように、検査装置１は、フェルール２と、回転駆動部３と、コントローラ５とを備えている。
【００２１】
フェルール２は、ＦＯＴの光出射部２０に対向するように配置されるものであり、光ファイバ７を内部に保持するファイバ保持部８を備えている。ファイバ保持部８は、直線状に伸びた軸体からなり、光ファイバ７が軸方向に沿って内部を貫通している。
【００２２】
光ファイバ７は、ファイバ保持部８を貫通してファイバ保持部８の先端面に達しており、光ファイバ７の貫通端がファイバ保持部８から露出している。ファイバ保持部８から露出した光ファイバ７の貫通端は、ＦＯＴの光出射部２０からの光を受光する受光端面９となる。また、光ファイバ７の受光端面９が設けられるフェルール２の端面は、受光面１１となる。
【００２３】
回転駆動部３は、フェルール２を回転駆動させるためのアクチュエータである。この実施形態において、回転駆動部３は、モータ１３と、モータ１３の出力軸に取り付けられたピニオンギヤ１４と、フェルール２に取り付けられた従動ギヤ１５とによって形成されている。
【００２４】
モータ１３は、後述するコントローラ５に接続されており、その駆動がコントローラ５に制御される。従動ギヤ１５は、フェルール２のファイバ保持部８の後部に取り付けられており、その回転によってフェルール２を回転させる。従動ギヤ１５は、ピニオンギヤ１４よりも大径となっており、ピニオンギヤ１４よりも遅い速度で回転する。このことにより、フェルール２を高精度に回転させることができる。この実施形態において、フェルール２は、ファイバ保持部８の径方向の中心部分が回転中心軸１７となっており、フェルール２は、回転中心軸１７を中心に回転する。
【００２５】
コントローラ５には、光ファイバ７が連結されており、光ファイバ７に入射されたＦＯＴの光出射部２０からの光が光ファイバ７を介して伝送される。コントローラ５は、光ファイバ７を介して伝送されたＦＯＴの光出射部２０からの光に基づいてＦＯＴの光出射部２０からの光信号の出射パワーの検出を行う。また、コントローラ５には、回転駆動部３のモータ１３が接続されており、モータ１３の回転駆動を制御する。
【００２６】
図１に示すように、ＦＯＴの光出射部２０は、発光ダイオード（ＬＥＤ）などの光源素子２１と、光源素子２１からの光を光ファイバー２の受光端面９に収束させる集光レンズ２３とを備えている。フェルール２は、光ファイバ７の受光端面９が集光レンズ２３の収束位置と一致するように配置され、この配置により、ＦＯＴの光出射部２０からの光が光ファイバ７の受光端面９に入射する。
【００２７】
図２に示すように、この実施形態においては、光ファイバ７の受光端面９は、フェルール２の回転中心軸１７よりも偏心した位置に設けられる。このように光ファイバ７の受光端面９をフェルール２の回転中心軸１７から偏心させることにより、フェルール２が回転すると、受光端面９は回転中心軸１７から偏心した位置で回転中心軸１７を中心に回転する。かかる回転中心軸１７に対する受光端面９の偏心量Ｌは、光出射部２０側の公差によって光がずれる量に対応すると共に、光のずれ量を包含する程度の寸法となるように設定されている。
【００２８】
次に、この実施形態におけるＦＯＴの検査方法を説明する。
【００２９】
ＦＯＴの光出射部２０からの光は、集光レンズ２３を通じてフェルール２に向けて出射される。光出射部２０に公差がある場合、光は斜め方向にずれが生じる。
【００３０】
一方、コントローラ５はモータ１３を回転駆動する。この回転駆動によってフェルール２は、回転中心軸１７を中心に図１（ｂ）の矢印で示す一方向に沿って回転する。この回転では、光ファイバ７の受光端面９が偏心位置で回転中心軸を中心に回転するため、フェルール９が１回転する間に受光端面９が光と一致し、光出射部２０からの光が受光端面９に入射する。これにより、光ファイバ７が光をコントローラ５に伝送し、コントローラ５による出射パワーの検出が行われる。
【００３１】
このような実施形態によれば、公差によってＦＯＴの光出射部２０の光がずれていても、フェルール２が回転中心軸１７回りに回転するため、フェルール２の１回転の間に光ファイバ７の受光端面９がＦＯＴの光出射部からの光に一致し、この一致によりＦＯＴの出射パワーを検査することができる。従って、調芯を簡単な構造で行うことができる。これにより、高精度の調芯装置が不要となり、安価に提供することができる。また、フェルール２を回転させて調芯を行うだけであるため、短時間で調芯を終了することができ、作業性が向上する。
【００３２】
また、本実施形態では、一種類の偏心量Ｌのフェルール２を用いた例を示したが、数種類の偏心量のフェルールを用意しておき、光出射部２０の光のずれが異なる場合でも対応することができる。
【００３３】
本発明は、以上の実施形態に限定されることなく種々変更が可能である。例えば、フェルール２を回転駆動させる回転駆動部３としては、シリンダ及びラックピニオンの組み合わせとしても良い。
【符号の説明】
【００３４】
１  検査装置  
２  フェルール
３  回転駆動部
５  コントローラ
７  光ファイバ
８  ファイバ保持部
９  受光端面
１１  受光面
１７  回転中心軸
２０  光出射部
【図１】
2010243729.tif 000003
【図２】
2010243729.tif 000004
【図３】
2010243729.tif 000005
【図４】
2010243729.tif 000006